(57)【要約】【課題】  肥料の種類や作業条件にかかわらず、施肥肥料の搬送が各条に円滑且つ確実に行われると共に、残留肥料の排出が能率的に行え、さらに詰まりが生じにくい施肥装置を備える苗移植機を提供する。【解決手段】  走行車体５の後側に圃場に苗植付部１３を昇降可能に設け、走行車体５の後側上部に肥料を収容する施肥ホッパ１４と、施肥ホッパ１４から肥料を繰出す繰出装置１５と、繰出装置１５から繰出される肥料を圃場に供給する施肥ホース１６からなる施肥装置１７を設けた苗移植機において、  繰出装置１５の近傍位置には、施肥ホッパ１４内に残留する肥料を排出する取出口１８を設け、取出口１８を上側に左右方向に長い取出ホッパ１９を設け、取出ホッパ１９の傾斜底面２０の最下端部の排出口２１に排出ホース２２を連結する構成とする。【選択図】  図３
2014143975.tif 000002
【特許請求の範囲】
【請求項１】
走行車体（５）の後側に圃場に苗植付部（１３）を昇降可能に設け、該走行車体（５）の後側上部に肥料を収容する施肥ホッパ（１４）と、該施肥ホッパ（１４）から肥料を繰出す繰出装置（１５）と、該繰出装置（１５）から繰出される肥料を圃場に供給する施肥ホース（１６）からなる施肥装置（１７）を設けた苗移植機において、
前記繰出装置（１５）の近傍位置には、前記施肥ホッパ（１４）内に残留する肥料を排出する取出口（１８）を設け、該取出口（１８）を上側に左右方向に長い取出ホッパ（１９）を設け、該取出ホッパ（１９）の傾斜底面（２０）の最下端部の排出口（２１）に排出ホース（２２）を連結したことを特徴とする苗移植機。
【請求項２】
前記苗植付部（１３）に肥料収容用の肥料袋（２３）を受ける袋受台（２４）を着脱可能に設け、前記排出ホース（２２）の始端部に肥料を搬送する搬送風を発生させるブロワー（２５）を設け、前記排出ホース（２２）の終端部を肥料袋（２３）に臨ませて設けたことを特徴とする請求項１に記載の苗移植機。
【請求項３】
前記施肥ホース（１６）の先端部の施肥口部（２７）の内周面に、螺旋状の噴風案内溝（２８）を形成したことを特徴とする請求項１または２に記載の苗移植機。
【請求項４】
前記施肥ホース（１６）の先端部の施肥口部（２７）内に、回転駆動可能の螺旋軸（２９）を設けて、該螺旋軸（２９）の回転により施肥ホース（１６）内を移動する肥料を圃場に案内することを特徴とする請求項１から３の何れか１項に記載の苗移植機。
【発明の詳細な説明】
【技術分野】
【０００１】
本発明は、多条植えの苗植付部を走行車体の後側に装着した苗移植機において、植付圃場に肥料の供給を行う施肥装置に関するものであり、肥料の供給の安定化や残留肥料の取り出しを速やかに行えるものである。
【背景技術】
【０００２】
多条植形態の苗移植機において、走行車体の後部に搭載する施肥装置から肥料を所定量ずつ繰出して、苗植付する圃場に施肥する技術や、施肥ホースにブロワーからの搬送風を通して肥料の搬送を補助したり、施肥装置の残留肥料を機外へ取り出すときは、この取出用の排出ホースにブロワーによる搬送風を通して、取出搬送を補助する技術（例えば、特許文献１参照）が知られている。
【先行技術文献】
【特許文献】
【０００３】
【特許文献１】特開２００８−２２０２５０号公報
【発明の概要】
【発明が解決しようとする課題】
【０００４】
施肥装置の肥料供給作動や、残留肥料の取出排出作用では、肥料の種類や作業条件等によっては、肥料の搬送作用が行われ難い部分が生じることがあり、搬送詰まりが発生することがあり、施肥作業性を低下させル問題がある。
【０００５】
このため、施肥装置から肥料を排出するときは、ブロアによる起風を肥料搬送用のダクトに通して、各ダクト内の肥料搬送を安定させることが考えられるが、一個所のブロワから複数条分の施肥ホースや、排出ダクト等に分岐送風する形態では、搬送風圧に強弱差が生じると共に、風圧の低下等が生じるので、部分的に搬送詰りを生じ易く、肥料の詰まりが生じ、施肥ムラにより作物の生育が不安定になると共に、詰まりを除去する際のメンテナンスに長い時間を要する問題がある。
【０００６】
また、施肥ホッパ内に残った肥料を取り出す作業時には、排出ダクトの排出口に肥料袋を置くが、この肥料袋の接地位置が苗移植機の横側位置に限定されると、苗移植機の停止位置によっては、肥料袋が設置できず、苗移植機を移動させねばならなくなる問題がある。
【課題を解決するための手段】
【０００７】
請求項１に記載の発明は、走行車体５の後側に圃場に苗植付部１３を昇降可能に設け、該走行車体５の後側上部に肥料を収容する施肥ホッパ１４と、該施肥ホッパ１４から肥料を繰出す繰出装置１５と、該繰出装置１５から繰出される肥料を圃場に供給する施肥ホース１６からなる施肥装置１７を設けた苗移植機において、前記繰出装置１５の近傍位置には、前記施肥ホッパ１４内に残留する肥料を排出する取出口１８を設け、該取出口１８を上側に左右方向に長い取出ホッパ１９を設け、該取出ホッパ１９の傾斜底面２０の最下端部の排出口２１に排出ホース２２を連結したことを特徴とする苗移植機とした。
【０００８】
請求項２に記載の発明は、前記苗植付部１３に肥料収容用の肥料袋２３を受ける袋受台２４を着脱可能に設け、前記排出ホース２２の始端部に肥料を搬送する搬送風を発生させるブロワー２５を設け、前記排出ホース２２の終端部を肥料袋２３に臨ませて設けたことを特徴とする請求項１に記載の苗移植機とした。
【０００９】
請求項３に記載の発明は、前記施肥ホース１６の先端部の施肥口部２７の内周面に、螺旋状の噴風案内溝２８を形成したことを特徴とする請求項１または２に記載の苗移植機とした。
【００１０】
請求項４に記載の発明は、前記施肥ホース１６の先端部の施肥口部２７内に、回転駆動可能の螺旋軸２９を設けて、該螺旋軸２９の回転により施肥ホース１６内を移動する肥料を圃場に案内することを特徴とする請求項１から３の何れか１項に記載の苗移植機とした。
【発明の効果】
【００１１】
請求項１に記載の発明は、複数の取出口１８の下方に左右横方向に長い取出ダクト１９を設け、この取出ダクト１９の傾斜底面２０の最下端部の排出ホース２２を連結する排出口２１を設けたことにより、簡単な構成によって、複数施肥条分の残留肥料を一箇所にまとめて迅速に取り出すことができるので、残留肥料の回収作業を能率的に行うことができる。
【００１２】
特に、前記各取出口１８の下方に取出ダクト１９を設け、この取出ダクト１９の最下部に排出口２１、排出ホース２２を設けるものであるから、前記繰出装置１５による繰出施肥作用行程とは別に、施肥ホッパ４内等の残留肥料を自重で落下、流下させて、この間におけるブロワー搬送風による送風機構等を不要として、簡潔的な構成とすることができ、残留肥料の取出排出の詰りを少なくし、メンテナンスを行い易くすることができる。
【００１３】
請求項２に記載の発明は、請求項１に記載の発明の効果に加えて、残留肥料を取り出すときは、この残留肥料を収容する袋受台２４を苗植付部１３後端部の苗タンク９部上に載置し、この袋受台２４上に肥料袋２３を支持する。
【００１４】
これにより、苗タンク９の後側部は広く空いた状態となるので、袋受台２４の取付や、肥料袋２３の支持の邪魔になるものがなくなるので、袋受台２４や肥料袋２３の着脱や着脱操作を簡単且つ容易に行うことができる。
【００１５】
また、この袋受台２４の肥料袋２３内に臨ませた排出ホース２２は、ブロワー２５が発生させた搬送風を通風させる配置構成としているので、この排出口２１と袋受台２４の肥料袋２３との前後高低差には殆んど関係なく、ブロワー２５による送風によって迅速に残留肥料の排出を行うことができる。
【００１６】
そして、このような苗植付及び施肥作業後の残留肥料の取出時には、苗タンク９上の袋受台２４によって、肥料袋２３を支持するものであるから、この肥料袋２３を苗植付部１３の昇降に伴って昇降移動することができ、運搬することができるので、作業者の労力が軽減される。
【００１７】
請求項３に記載の発明は、請求項１または２に記載の発明の効果に加えて、施肥ホース１６の施肥口部２７や、排出ホース２２の排出口部３０の内周面に螺旋状の噴風案内溝２８を形成したことにより、施肥ホース１６内や排出ホース２２内を送風する搬送風の流れを渦状にすることができるので、肥料の搬送を能率よく行え、施肥精度が向上すると共に、残留肥料の排出作業を能率よく行える。
【００１８】
請求項４に記載の発明は、請求項1から3の何れか１項に記載の発明の効果に加えて、施肥ホース１６の先端施肥口部２７で螺旋軸２９を回転させることにより、施肥ホース１６内を移動する肥料を、螺旋軸２９の回転によって土壌抵抗等にかかわらず強制的に圃場に供給することができるので、肥料が確実に圃場に供給され、作物の生育が良好になる。
【００１９】
また、苗の植付作業中に施肥ホース１６の施肥口部２７が圃場に接近したり、土中に埋没することがあっても、螺旋軸２９の回転によって肥料や泥土が内部に詰まることを防止できるので、円滑且つ的確に施肥が行われ、作物の生育がいっそう安定する。
【図面の簡単な説明】
【００２０】
【図１】防波板を備える苗移植機の側面図
【図２】防波板を備える苗移植機の平面図
【図３】施肥装置部の正面図
【図４】施肥装置の繰出装置部の側面図
【図５】別実施例を示す苗移植機の側面図
【図６】別実施例を示す苗移植機の平面図
【図７】別実施例を示す苗移植機の施肥装置部の正面図
【図８】施肥ホース先端施肥口部の側面図
【図９】別実施例を示す施肥ホース先端施肥口部の側面図
【図１０】代掻ロータ部の配置平面図
【発明を実施するための形態】
【００２１】
本発明に示す苗移植機は、前輪１、後輪２、運転席３、及びステアリングハンドル４を配置する乗用車体５の後側に、苗植フレーム６の底部を支持して圃場を滑走しながら均平するフロート７と、後傾斜のタンク面８に供給されたマット苗を繰出す苗タンク９と、この苗タンク９の後傾斜下端部の苗取口１０に繰出された苗を植付爪１１で分離保持して前記フロート７で均平した圃場に植え付ける植付装置１２とからなる多条植形態の苗植付部１３を昇降可能に連結すると共に、前記車体５の後端部には、施肥用の肥料を収容する施肥ホッパ１４、この施肥ホッパ１４の肥料を繰出す繰出装置１５等からなり、この繰出された肥料を施肥ホース１６を経て前記苗植付部１３で植え付けされる圃場に施肥する施肥装置１７を装着して、苗移植機を構成としている。
【００２２】
前記車体５の中央部には、エンジン３１を搭載し、この上側を覆うエンジンカバー３２の上側に運転席３を設け、この運転席３、及びエンジンカバー３２と、前方のステアリングポスト３４、及びステアリングハンドル４との間に、センタフロア３５を設けて、車体５の苗植走行運転を行うことができる。サイドフロア３６は、これらセンタフロア３５、エンジンカバー３２、及びステアリングポスト３４等の左右両側部に位置して、前後方向に長く形成されて、後端部には後輪上側部を覆うフェンダ部３７を介して、運転席３後側部のリヤフロア３９に連接して形成し、運転作業者がこらら各フロア３５、３６、３９面を踏み歩いて前後に移動して、苗タンク９に対する苗供給を行うことができる。
【００２３】
前記エンジン３１からの連動構成は、前方配置の油圧無段変速装置４０をベルト伝動し、この油圧無段変速装置４０の主変速操作によってフロントミッションケース４１の副変速伝動機構を伝動して、フロントアクスルハウジング４２の左右外側部に軸装される前輪１を伝動駆動し、後側へ取出す後輪連動軸４３を介してリヤアクスルハウジング４４の左右外側部に軸装される後輪２を伝動駆動し、又、この後輪連動軸４３の他にＰＴＯ軸４５を取出して苗植付部１３や、施肥装置１７等を伝動駆動することができる。
【００２４】
車体５の前端部には、サイドフロア３６の外側部に補助苗載棚３８を設け、前記苗タンク９に補給するための補助マット苗を搭載して、このマット苗を運搬しながら苗タンク９のタンク面８に補給して苗植作業を継続することができる。
【００２５】
前記苗植付部１３は、マット苗をタンク面８に受けて、このタンク面８の後傾斜面に沿って繰出すもので、このタンク面８には多数枚のマット苗を並列させて繰出できるように多条植形態に形成し、一条植幅相当の横方向間隔に亘って左右往復移動するように、苗植フレーム６のリードカム４６（図１０参照）等の横送連動機構によって駆動される。各タンク面８の下端部には、苗タンク９が左右横端部へ移動する毎に間歇的に駆動される繰出ベルト４７を設け、この繰出ベルト４７によって植付爪１１によって分離される毎のマット苗層を、苗取口１０を形成する苗受ガイド４８上面に繰出すことができる。
【００２６】
前記苗タンク９の傾斜後下端部の苗受ガイド４８の苗取口１０には、ダブルクランク機構形態の植付装置１３の植付爪１１が、側面視略楕円形状の植付軌跡線Ｄを描いて作動するように設けられて、各苗取口１０に繰出されるマット苗から複数本宛ての植付苗を分離保持して、下方の各フロート７で均平された圃場に植付ける。
【００２７】
前記フロート７は、苗の植付走行幅の中央部に配置されるセンタフロート７と、この左右両側方に配置されるサイドフロート７，７とから構成されるが、このうちのセンタフロート７の上下迎角揺動によって、土壌耕盤が深くなるとリフトシリンダ４９を伸長させてリフトリンク５０を上昇回動して、フロート７を有した苗植付部１３を上昇し、土壌耕盤が浅くなると逆に下降させて、植付装置１２による苗植付深さを略一定に維持するように昇降制御する形態である。
【００２８】
前記苗植付部１３は、リフトシリンダ４９によって昇降される平行リンク形態のリフトリンク５０を介して、車体５の後端のリヤフレーム５１に連結されて、苗植圃場の状態に応じて昇降可能に設けられるが、この苗植フレーム６の幅方向の中央部がリフトリンク５０後端部のヒッチリンク５２に対してローリング軸５３回りに回動自在に設けられ、左右方向の圃場の変化に応じてローリングし、又はローリング制御可能に構成される。
【００２９】
また、前記苗植付部１３の各フロート７の前側には、フロート７で均平する圃場を予め砕土掻均する代掻ロータ５４を設け、苗植付部１３と略一体的に昇降しながら、代掻作用を行うことができる。
【００３０】
前記車体５の後端部のリヤフレーム５１に、リフトリンク５０を昇降回動するように連結するが、前記運転席３後側部リヤフレーム５１上端部に、前記リヤフロア３９を敷設し、このリヤフロア３９の上側に施肥ホッパ１４、繰出装置１５、ブロワー５５、ブロワダクト５６、及び施肥ホース１６等から構成される施肥装置１７を装着し、前記ＰＴＯ軸４５から伝動して、前記植付装置１２で苗植付される近傍位置の圃場に施肥する形態である。
【００３１】
前記施肥装置１７の繰出装置１５は、図１から図４で示すように、回転周面に肥料を嵌合させて繰出す繰出穴６０を形成した繰出ロール６１を、横方向の繰出ロール軸６２の周りに回転させて、繰出ケース５７の内部に設けたもので、上側の施肥ホッパ１４に供給した肥料を、この繰出ロール６１の回転によって繰出ケース５７の下側の繰出口５８へ繰出すことができる。
【００３２】
このような施肥ホッパ１４は、苗植付部１３、及び苗タンク９の横幅と略同程に横幅広く形成されて、内部には各繰出ケース５７毎、または適宜幅毎に仕切壁を形成している。前記各繰出ケース５７下端の繰出口５８を上側にのぞませる施肥ホース１６、及びブロワダクト５６が、各繰出ケース５７の横並び方向に沿って設けられて、このブロワダクト５６は、各繰出ケース５７の繰出口５８から繰出される肥料を受けて搬送する施肥ホース１６の始端部に開口連通して、このブロワダクト５６から各施肥ホース１６に分岐送風しながら、施肥ホース１６内に繰出された肥料を苗植付部１３のフロート７側へ噴風搬送することにより、施肥することができる形態である。
【００３３】
前記各繰出装置１５上部のホッパ口部６４には肥料を供給、停止する施肥シャッター６３を設け、このホッパ口６４の後側部に形成の残留肥料取出用の取出口１８には、開閉操作可能の取出シャッター６５を設けている。
【００３４】
ここにおいて、前記繰出装置１５の近傍位置には、前記施肥ホッパ１４内に残留する残留肥料を機外へ取出すための取出口１８を設け、各取出口１８を上側にのぞませて前記各繰出装置１５の並び方向に沿って横幅広く形成の取出ホッパ１９を設け、この取出ホッパ１９の傾斜底面２０の最下端部の排出口２１に排出ホース２２を連結して、残留肥料を機外へ取出可能に設ける。
【００３５】
苗移植機によって苗植作業を行うときは、施肥ホッパ１４に粉粒状形態の肥料を供給収容させておき、苗植付部１３の植付装置１２が、苗タンク９から繰出した苗を苗取口１０で分離保持して、フロート７で均平した圃場に植付ける。この植付装置１２で植付けた植付苗の近くの圃場に、前記施肥装置１７によって肥料を繰出しながら施肥する。
【００３６】
この苗植作業後等に、施肥ホッパ１４や繰出装置１５内部等に残留肥料があるときは、前記取出口１８を開くことによって、この残留肥料を各取出口１８から取出ダクト１９へ流下排出させて、この取出ダクト１９底部の傾斜底面２０を排出口２１へ流下させて、排出ホース２２へ排出させて機外へ取出す。
【００３７】
前記繰出装置１５においては、繰出ロール６１を内装する各繰出ケース５７の後側上部に取出口１８を設け、繰出ロール６１の回転によって繰出された後に、上部の施肥ホッパ１４や、繰出室上部のホッパ口６４等に残留した肥料を、このホッパ口６４の後側部の形成の取出口１８から、取出シャッター６５を開くことによって、繰出装置１５の外部へ取出すもので、各取出口１８の下部には、横方向に長く形成した取出ダクト１９を構成する。各取出口１８をのぞませる取出ダクト１９の底部には、中央部に形成の排出口２１に向けて漏斗状の下り傾斜に形成されて、各取出口１８から取り出される残留肥料を受けて、傾斜底面２０を流下させて、排出口２１から排出ホース２２へ排出させる。
【００３８】
図１から図３で示す実施例では、この排出ホース２２を可撓性ホースとして、リヤフロア３９の下側部から運転席３横側のサイドフロア３６側端部のサイドステップ６６下側部に案内して、このサイドステップ６６の下側に配置の肥料袋を保持させて取出し、袋詰めすることができる。
【００３９】
また、主として図５から図７に基づいて、前記苗タンク９の上側部に肥料収容用の肥料袋２３を受ける袋受台２４を着脱可能に設けると共に、前記取出ホッパ１９の排出口２１を連結してブロワー２５による送風力で排出搬送する排出ホース２２の排出口２６を前記袋受台２４上の肥料袋２３にのぞませて、前記施肥ホッパ１４における残留肥料の排出を受けて収容する。
【００４０】
前記のように施肥ホッパ１４や繰出装置１５の一部に残留した残留肥料を機外へ取出すときは、苗タンク９のタンク面１０上に袋受台２４を取付けて、この袋受台２４に肥料袋２３を支持させて、排出ホース２２の排出口２６を臨ませる。
【００４１】
前記各取出口１８から取出ダクト１９を経て流下された残留肥料は、排出口２１から排出ホース２２へ流下して、ブロワー２５から送風によって排出搬送され、袋詰めされる。又、苗植作業を行うときは、前記苗タンク９上の袋受台２４を取外して、通常の苗植作業時のように苗タンク９のタンク面１０にマット苗を供給して苗植作用を行う態勢とする。このとき、排出ホース２２は取外すか、又は排出口２６を収納位置へ移動させておき、ブロワ２５は回転停止させておく。
【００４２】
また、前記苗移植機１５においては、残留料を取出す排出ホース２２を、後方の苗植付部１３側へ向けて、この苗タンク９の後側上部に取付支持させる袋受台２４に、肥料袋２３を搭載して、この肥料袋２３に排出ホース２２の排出口２６をのぞませて、残留肥料を収容させる形態とすることができる。
【００４３】
この形態では、前記排出ホース２２の始端部にブロワー２５の噴出口を連通して、このブロワー２５の風圧力で、取出ダクト１９の排出口２１から排出ホース２２へ取出された肥料を、苗タンク９上部の肥料袋２３側へ速かに搬送する。苗植付部１３、乃至苗タンク９部が、リフトシリンダ４９によって上昇された姿勢位置にあっても、このブロワー２５の送風力によって円滑で、的確な袋詰搬送を行わせることができる。
【００４４】
前記苗タンク９の上側部に沿って載置する袋受台２４は、略苗タンク９のタンク面８と平行状に支持させるもので、後端下り傾斜の下端部には、苗取口１０の苗受ガイド４８に沿わせて上方に向けて適宜高さの袋受縁６７を形成し、この袋受台２４の上面に沿って載せた肥料袋２３の底部を、後方下部に滑落させないように支持する。
【００４５】
このような袋受台２４は左右いずれの位置の苗タンク９の上面に支持させるもよく、この袋受台２４を左右へ移動可能に支持させて、支持位置を移動自在に構成することもできる。又、袋受台２４の設定位置を固定具によって固定するもよいが、単に苗タンク９の上側部に着脱自由に載置する形態とすることもできる。
【００４６】
また、前記袋受台２４を苗タンク９幅の略中央部位置に載せる場合は、前記取出ダクト１９は幅の略中央部位置の排出口２１に連結する排出ホース２２を通すためのホース穴６８を苗タンク９に形成しておき、排出ホース２２ができるだけ後側の袋受台２４上部に直行する形態に連結して、肥料の排出搬送抵抗を少くするように構成することができる。
【００４７】
前記のように、施肥ホース１６によって搬送される肥料は、各フロート７によって均平された跡の圃場に噴出施肥されるが、このフロート７の均平部跡には、作溝器７０を有して適宜深さの作溝作用が行われ、この作溝部の上側に施肥ホース１６の先端施肥口部２７をのぞませている。この施肥口部２７はフロート７に対して取付ブラケット等で取付支持されて、フロート７と一体的に上下揺動し、均平される圃場や、作溝部に対する高さ位置を常時一定に維持するように、又は調節可能に構成されている。
【００４８】
ここにおいて、主として図８のように、前記施肥ホース１６先端の施肥口部２７の内周面に、螺旋状の噴風案内溝２８を形成する。
前記繰出装置１５から繰出された肥料は、各施肥ホース１６内を風送案内されて、前記フロート７によって均平される苗植付圃場に噴出されて施肥される。この施肥ホース１６の先端部の施肥口部２７には、螺旋状の噴風案内溝２８が形成されていて、肥料がこの噴風案内溝２８に沿って渦流形態に案内されて、噴出施肥される。
【００４９】
また、前記排出ホース２２の先端部の排出口部３１に螺旋状の噴風案内溝２８を形成する形態では、残留肥料の取出排出がこの噴風案内溝２８により渦流形態に案内されて、肥料袋２３内へ勢よく投入される。
【００５０】
そして、主として図９のように、前記施肥ホース１６先端部の施肥口部２７内に、回転駆動可能の螺旋軸２９を設けて、この螺旋軸２９の回転により施肥ホース１６を搬送される肥料を圃場へ施肥案内する。
【００５１】
前記繰出装置１５から繰出された肥料は、各施肥ホース１６内を風送案内されて、前記フロート７によって均平される苗植付圃場に噴出されて施肥される。この施肥ホース１６の先端部の施肥口部２７内には、螺旋軸２９が駆動回転されていて、噴出搬送されてきた肥料を螺旋軸２９の回転によって圃場側へ押し込んで土壌抵抗等に抗して確実に施肥する。
【００５２】
次に、主として図１０に基づいて、前記代掻ロータ５４の左右外側端部には、欠球皿形状形態のディスク７５をロータ軸７６の外側端部に一体的、又は回転自在に取付けて、代掻作業時の泥流波が外側へ伝播するのを防止して、隣接植付苗条を乱さないようにするものである。
【００５３】
また、このようなディスク７５に代えて、後側内側へ円弧状に湾曲させた防波板７７を苗植フレーム６部に設けて、この防波板７７を圃場に作用させて作業走行に伴い前方へ移動推進することにより、代掻ロータ５４によって発生する泥流波を後側内側へ案内して、隣接植付苗条側への伝播を軽減することができる。
【００５４】
前記防波板７７は、前記代掻ロータ５４の後方外側位置に対向する苗タンク９の苗受ガイド４８の外側端部に、ブラケット７８を介して取付けている。苗植付部１３を苗植姿勢位置に下降すると、防波板７７が苗植圃場上に接近して、高く波立つ泥流波に切り込み、この泥水を受けて後側内側へ案内して、外方への泥波伝播を規制する。
【符号の説明】
【００５５】
１    前輪
２    後輪
３    運転席
４    ステアリングハンドル
５    車体
６    苗植フレーム
７    フロート
８    タンク面
９    苗タンク
１０    苗取口
１１    植付爪
１２    植付装置
１３    苗植付部
１４    施肥ホッパ
１５    繰出装置
１６    施肥ホース
１７    施肥装置
１８    取出口
１９    取出ダクト
２０    傾斜底面
２１    排出口
２２    排出ホース
２３    肥料袋
２４    袋受台
２５    ブロワー
２６    排出口
２７    施肥口部
２８    噴風案内溝
２９    螺旋軸
３０    排出口部
【図１】
2014143975.tif 000003
【図２】
2014143975.tif 000004
【図３】
2014143975.tif 000005
【図４】
2014143975.tif 000006
【図５】
2014143975.tif 000007
【図６】
2014143975.tif 000008
【図７】
2014143975.tif 000009
【図８】
2014143975.tif 000010
【図９】
2014143975.tif 000011
【図１０】
2014143975.tif 000012